(57)【要約】【課題】ディスクの挿入口の両側には夫々２個のローラーを設け、該ローラーによって挿入されたディスクを挟み込んでターンテーブルまで搬入する為の搬入装置であって、より簡単な構造でもって確実に搬入を行うことが出来るようにしたディスク搬入装置の提供。【解決手段】挿入口３の一方側には第１駆動ローラー５を定位置に設けると共に、該第１駆動ローラー５の軸を中心として揺動するアーム先端には第２駆動ローラー７を取付けて互いに連動する。他方には外方向へ移動するスライダー１３に第１ローラー１１と第２ローラー１２を軸支し、アーム６は内側へ傾斜すると共にスライダー１３は内側へ寄るバネ力が付勢されている。【選択図】　　　　図２
2004146022.tif 000002
【特許請求の範囲】
【請求項１】
ディスクの挿入口の両側には夫々２個のローラーを設け、該ローラーによって挿入されたディスクを挟み込んでターンテーブルまで搬入する為の搬入装置において、一方側のローラーは挿入口側に第１駆動ローラーを定位置に設けると共に，該第１駆動ローラーの軸を中心として揺動するアーム先端には第２駆動ローラーを取付けて互いに連動し、挿入口の反対側には外方向へ移動するスライダーに第１ローラーと第２ローラーを回転自在に軸支し、そしてアームは内側へ傾斜すると共にスライダーは内側へ寄るバネ力を付勢したことを特徴とするディスクの搬入装置。
【請求項２】
上記第１駆動ローラーと同心を成して第１ギヤを取付け、第２駆動ギヤと同心を成して第２ギヤを取付け、そして、アームに取付けた中間ギヤを第１ギヤと第２ギヤに噛み合わせて連動した請求項１記載のディスクの搬入装置。
【請求項３】
上記スライダーにリンクを固定して中央側へ延ばし、アームには別のリンクを揺動可能に連結し、そして両リンクの先端を軸を中心に回動する中リンクの両先端に連結した請求項１、又は請求項２記載のディスクの搬入装置。
【発明の詳細な説明】
【０００１】
【発明の属する技術分野】
本発明はディスク装置内のターンテーブルに１２０ｍｍ大きさのディスクを装着する為に搬入する装置に関するものである。
【０００２】
【従来の技術】
ディスク装置はディスクをターンテーブルに装着した状態で回転しながら、情報の記録・再生が行われる訳で、上記ターンテーブルに装着する方法は色々ある。その代表的な方法は、前進・後退動するトレーに載せて装置本体へ挿入する方法であり、又ディスクを挿入口から一部挿入すると、装置内部に設けていて引き込むことが出来る搬入装置によって、所定の位置まで引き込んでターンテーブルに装着する方法がある。
【０００３】
本発明が対象とするディスク装置は、後者の方法によってターンテーブルに装着する型式のディスク搬入装置である。このディスク装置にはフロントパネルに細い挿入口が設けられているだけであり、該挿入口からディスクの一部が挿入されることで、ターンテーブルまで搬入して装着される。そこで、従来のディスク搬入装置としは、特開平２−７２６３号に係る「ＣＤプレーヤのローディング装置」が知られている。
【０００４】
上記「ＣＤプレーヤのローディング装置」は、プレーヤ本体上に相対向して所定距離を隔てて配置されると共に、それぞれ回動可能なディスクローディング用の第１のベルト機構及び第２のベルト機構と、ディスクローディングに際してこれらのベルト機構を各々所定方向へ回動せしめるベルト機構開閉手段とを備え、前記第１及び第２のベルト機構のうち少なくとも一方が、該ベルト機構を構成するベルトを必要に応じて所定方向に回転せしめるローディング用モータを備えている。
【０００５】
又、上記第１ベルト及び第２ベルトに代わって、挿入口の左右に縦型ローラーを複数個設け、これら各ローラーにてディスクを挟み込むと共に、ローラーの回転によってディスクを搬入する方法もある。左右のローラーはスライドして８０ｍｍディスク及び１２０ｍｍディスクに対処可能なように、両ローラーの軸部を連結したレバーによりスイッチを動作させることでディスクの位置を検出し、ローラーの位置によりディスククランプ時の位置決めが出来る。
【０００６】
ところで、上記従来の搬入装置は挿入口の両側にローラー又はベルト機構を備えていて、両ローラー及びベルトが共に駆動してディスクを搬入し、しかも両ローラー及びベルトはディスクの大きさ並びに挟み込む位置によって共に移動するように構成されている為に、その構造は複雑化してしまう。勿論、部品点数も多くて製造コストは高くなり、故障もし易いことも事実である。
【０００７】
【発明が解決しようとする課題】
このように、従来のディスク搬入装置には上記のごとき問題がある。本発明が解決しようとする課題はこれら問題点であり、より簡単な構造でもって挿入口からディスクの挿入を行い、ターンテーブルまで搬入・装着することが出来るディスク搬入装置を提供する。本発明の搬入装置は１２０ｍｍディスクを対象とし、８０ｍｍディスクの場合にはアダプターを取付けて使用する。
【０００８】
【課題を解決する為の手段】
本発明に係るディスク搬入装置はフロントパネルに設けた挿入口から１２０ｍｍディスクを挿入することで、該ディスクを挟み込んでディスク内へ搬入し、ターンテーブルに正しく装着することが出来るように構成している。そこで、挿入口の両側付近にはローラーが取付けられ、これら両ローラーによって挿入されるディスクが挟み込まれ、ローラーが回転することでディスクはターンテーブル側へ搬入される。
【０００９】
ところで、本発明では片側の駆動ローラー軸はシャーシに固定され、所定の位置に取付けされているモーターから動力を得て回転駆動することが出来る。そして、該第１駆動ローラーの奥側には別の第２駆動ローラーを設け、第２駆動ローラーは第１駆動ローラーの軸を中心として揺動するアームに軸支されると共に、第１駆動ローラーと連動して回転することが出来る。すなわち回転駆動するローラーは片側だけとしている。
【００１０】
一方、対向側に設けている遊動ローラーは駆動されないローラーとし、ディスクの挿入方向に対して垂直方向（外方向）へ移動することが出来るようにスライダーに取付けられている。そして、上記第１駆動ローラー及び第２駆動ローラーを取付けているアームとリンクを介して連結している。従って、遊動ローラーがディスクによって押されて外方向へ移動するならば、第２駆動ローラーも外方向へ揺動する。そして、左右の駆動ローラー及び遊動ローラーはディスク側へ寄ることが出来るようなバネ力が付勢されている。以下、本発明に係る実施例を図面に基づいて詳細に説明する。
【００１１】
【実施例】
図１はディスク装置１のフロントパネル２に設けた挿入口３にディスク４の一部が挿入されている場合を示している。このディスク装置１の挿入口３にディスク４を一部挿入するならば、内蔵されている搬入装置により引き込まれてターンテーブルに装着される。そして、取り出す際には、同じ搬入装置によって挿入口３から排出される。
【００１２】
図２は本発明に係るディスク搬入装置を示す実施例である。挿入口３の左側には第１駆動ローラー５がシャーシの定位置に取付けられ、該第１駆動ローラー５の軸を中心として揺動するアーム６を設けると共に、該アーム６の先端には第２駆動ローラー７を取付けている。又、第１駆動ローラー５には第１ギヤ８が同心を成して取着され、第２駆動ローラー７にも第２ギヤ９が同心を成して取付けられている。
【００１３】
そして、アーム６には中間ギヤ１０が上記第１ギヤ８と第２ギヤ９との間に介在して互いに噛み合い、第１駆動ローラー５が所定のモーターによって回転駆動するならば、上記第１ギヤ８、中間ギヤ１０、及び第２ギヤ９を介して第２駆動ローラー７は回転する。又、第２駆動ローラー７は揺動するアーム６の先端に取付けられている為に、該アーム６の揺動によってその位置は変化する。すなわち、挿入口３から挿入されるディスク４の位置に応じて、ディスク外周に当接することが出来るようにアーム６は揺動することが出来る。
【００１４】
一方、挿入口３の右側には第１ローラー１１がスライダー１３に回転自在に軸支され、同じく第２ローラー１２もスライダー１３に回転自在に軸支されている。そして、該スライダー１３はガイド溝（図示なし）に沿って外方向へ移動することが出来る。すなわち、挿入口３から挿入されるディスク４の位置に応じて、第１ローラー１１及び第２ローラー１２がディスク外周に当接することが出来るようにスライダーは外方向へ移動する。
【００１５】
又、スライダー１３には右リンク１４が取着されて挿入口側（中央側）へ延び、上記アーム６には別の左リンク１５が連結し、そして軸１６を中心として回動自在に成っている中リンク１７の両先端には、上記右リンク１４の先端及び左リンク１５の先端が夫々連結している。右リンク１４はスライダー１３から延びていて揺動はしない為に、先端に形成された長穴１８に中リンク１７の連結ピン１９が遊嵌している。
【００１６】
ところで、挿入口３からディスク４が挿入されるならば、図２に示しているように、該ディスク４の外周は第１駆動ローラー５と第１ローラー１１に当接する。挿入口３からディスク４が挿入されたことをセンサーが感知して上記第１駆動ローラー５がモーターによって回転する。回転方向はディスク４が内部へ引き込まれる方向であり、該ディスク４をさらに手前から押圧するならば、内部へ引き込まれる。
【００１７】
ここで、ディスク４が挿入口３から進入するにしたがって、第１駆動ローラー５と第１ローラー１１間距離は拡大する為に、第１ローラー１１はスライダー１３と共に外方向へ移動する。ただし、第１ローラー１１がディスク外周に常に接するようにバネ力が付勢されている。このバネ力を付勢する手段は限定されず、スライダー１３に直接付勢する場合、中リンク１７の軸１６にコイルバネを取付けて、該中リンク１７時計方向に回動するように付勢することも出来るが、同図に示す実施例では、左リンク１５と右リンク１４間にコイルスプリング２０を連結している。
【００１８】
そして、ディスク４がさらに進入するならば奥側へ移動し、左側の第２駆動ローラー７と右側の第２ローラー１２に当接する。すなわち、ディスク４は第１駆動ローラー５と第２駆動ローラー７、及び第１ローラー１１と第２ローラー１２の４個のローラーによって挟まれ、第１駆動ローラー５と第２駆動ローラー７が共に回転駆動することにより、ディスク４は奥側へ搬入される。すなわち、この位置まで達するならば、手でディスク後方を押圧しなくても独りで搬入される。
【００１９】
図２では４個のローラーにて挟まれた状態は表していないが、この状態からさらに奥側へ引き込まれることで、ディスク４はターンテーブルの位置に達する。ターンテーブルに装着されたならば、図３に示すように、奥側に位置する第２駆動ローラー７及び第２ローラー１２はディスク４から離れなくてはならない。左側の第２駆動ローラー７はアーム６の先端に取付けられ、又右側の第２ローラー１２はスライダー１３に取付けられているために、アーム６とスライダー１３を連結している左右リンク１４，１５を作動することで行うことが出来る。又、中リンク１７を反時計方向に回動することで、第２駆動ローラ７及び第２ローラー１２をディスク４から離すことが出来る。
【００２０】
以上述べたように、本発明のディスク搬入装置は、挿入口の一方側に第１駆動ローラーと第２駆動ローラーを取付け、他方側には第１ローラーと第２ローラーを設けたものであり、次のような効果を得ることが出来る。
【００２１】
【発明の効果】
本発明のディスク搬入装置は、挿入口の一方側に設けた第１駆動ローラーは定位置に固定され、第２駆動ローラーは揺動アームの先端に取付けられている。そして反対側の第１ローラー及び第２ローラーは外方向へ移動するスライダーに取付けられている。従って、挿入口から挿入されるディスクは一方側のアームを揺動させると共に、スライダーを移動させることでディスクを抱き込み、駆動ローラーにて確実に引き込むことが出来る。又、本発明では１２０ｍｍディスクのみを対象としている為に、アームとスライダーの移動範囲が短くて所定のバネを適正な荷重と伸び率の範囲で使用することが出来ることで、ローラーによるディスクの挟持力は安定する。
【００２２】
本発明の搬入装置はこのように、一方側のローラーだけを駆動ローラーとしている為に、又、反対側のローラーだけをディスクの進入に応じて外方向へ移動出来るようにしている為に、すなわち、従来のような左右ローラーを駆動ローラーにすると共に外方向へ移動する構造としないことで、装置の構造は簡素化され、又搬入されるディスクの軌道は一定化することで安定する。
【図面の簡単な説明】
【図１】ディスク装置の挿入口にディスクが一部挿入された外観図。
【図２】本発明に係るディスク搬入装置を示す実施例。
【図３】ディスクが搬入された後で、搬入装置がディスクから離れた場合。
【符号の説明】
１　ディスク装置
２　フロントパネル
３　挿入口
４　ディスク
５　第１駆動ローラー
６　アーム
７　第２駆動ローラー
８　第１ギヤ
９　第２ギヤ
１０　中間ギヤ
１１　第１ローラー
１２　第２ローラー
１３　スライダー
１４　右リンク
１５　左リンク
１６　軸
１７　中リンク
１８　長穴
１９　連結ピン
【図１】
2004146022.tif 000003
【図２】
2004146022.tif 000004
【図３】
2004146022.tif 000005